(57)【要約】【課題】省電力モード時に省電力効果を損なうことなく画面データを閲覧することが可能な、表示制御装置、表示制御方法および表示制御システムを提供する。【解決手段】ユーザの入力操作に応じて省電力モードに切り替える省エネ制御装置から提供された画面情報を、表示装置に表示させる表示制御装置１０は、省エネ制御装置２０から提供された画面情報を記憶媒体に記録する記録部と、省エネ制御装置２０が省電力モードに切り替えられて省エネ制御装置からの信号が切断された場合に、記憶媒体に記録された画面情報を表示装置に表示させる表示装置制御部１０２と、を備える。【選択図】図１
2010231324.tif 000002
【特許請求の範囲】
【請求項１】
ユーザの入力操作に応じて省電力モードに切り替える省エネ制御装置から提供された画面情報を、表示装置に表示させる表示制御装置であって、
前記省エネ制御装置から提供された画面情報を記憶媒体に記録する記録部と、
前記省エネ制御装置が省電力モードに切り替えられて前記省エネ制御装置からの信号が切断された場合に、前記記憶媒体に記録された前記画面情報を前記表示装置に表示させる表示装置制御部と、
を備えることを特徴とする、表示制御装置。
【請求項２】
前記表示装置制御部は、前記省エネ制御装置からの信号が切断された後に、前記省エネ制御装置からの信号が切断される直前に前記記憶媒体に記録された前記画面情報を前記表示装置に表示させることを特徴とする、請求項１に記載の表示制御装置。
【請求項３】
前記表示装置制御部は、前記省エネ制御装置からの信号が切断された場合に前記表示装置の電源をオフし、ユーザ操作に応じて前記表示装置の電源をオンすることを特徴とする、請求項１または２のいずれかに記載の表示制御装置。
【請求項４】
前記記録部は、前記画面情報を一時的に保存し、
前記省エネ制御装置から提供された画面情報と一時的に保存した前記画面情報とを比較し、所定の閾値以上の面積で変化がない場合に、一時的に保存した前記画面情報を前記記憶媒体に記録し、所定の閾値以上の面積の変化がある場合に、一時的に保存した前記画面情報を前記記憶媒体に記録しないことを特徴とする、請求項１〜３のいずれかに記載の表示制御装置。
【請求項５】
前記表示装置制御部は、前記省エネ制御装置からの信号が切断されて前記表示装置の電源をオフした後に、ユーザ操作により前記表示装置の電源がオンされた場合に、前記記憶媒体に記録されている前記画面情報を前記表示装置に表示させることを特徴とする、請求項１〜４のいずれかに記載の表示制御装置。
【請求項６】
前記省エネ制御装置は、ユーザの入力操作が所定時間検出されなかった場合に省電力モードに切り替えることを特徴とする、請求項１〜５のいずれかに記載の表示制御装置。
【請求項７】
前記表示装置制御部は、前記省エネ制御装置がユーザ操作に応じて省電力モードから通常モードに復帰した場合に、前記省エネ制御装置から提供された画面情報を前記表示装置に表示させることを特徴とする、請求項１〜６のいずれかに記載の表示制御装置。
【請求項８】
前記省エネ制御装置から文書データを受信する文書データ入力部と、
前記文書データ入力部により受信された前記文書データを前記表示装置に表示させるための文書画像を生成する画像処理部と、
を備え、
前記記録部は、前記文書データ入力部により受信された前記文書データを前記記憶媒体に記録し、
前記画像処理部は、前記記憶媒体に記録された前記文書データから前記文書画像を生成し、
前記表示装置制御部は、前記省エネ制御装置からの信号が切断された場合に、前記画像処理部により生成された前記文書画像を前記表示装置に表示させることを特徴とする、請求項１に記載の表示制御装置。
【請求項９】
前記表示装置制御部は、前記省エネ制御装置からの信号が切断される直前に前記記憶媒体に記録された前記文書データを特定し、前記画像処理部に前記特定した前記文書データから文書画像を生成させることを特徴とする、請求項８に記載の表示制御装置。
【請求項１０】
ユーザ操作に応じて、前記表示装置に表示された前記文書画像の閲覧箇所の指定入力をする入力部を備え、
前記表示装置制御部は、前記入力部により入力された前記文書画像の閲覧箇所の指定入力に応じて、前記文書画像の閲覧箇所の前記文書データを特定し、前記画像処理部に前記特定した前記文書データから文書画像を生成させることを特徴とする、請求項８または９のいずれかに記載の表示制御装置。
【請求項１１】
ユーザの入力操作に応じて省電力モードに切り替える省エネ制御装置から提供された画面情報を、表示装置に表示させる表示制御装置において、
前記省エネ制御装置から提供された画面情報を記憶媒体に記録するステップと、
前記省エネ制御装置が省電力モードに切り替えられて前記省エネ制御装置からの信号が切断された場合に、前記記憶媒体に記録された前記画面情報を前記表示装置に表示させるステップと、
を含むことを特徴とする、表示制御方法。
【請求項１２】
ユーザの入力操作に応じて省電力モードに切り替える省エネ制御装置から提供された画面情報を、表示装置に表示させる表示制御装置において、
前記省エネ制御装置は、
前記表示制御装置への画像情報を提供する表示処理部と、
ユーザの入力操作が所定時間検出されなかった場合に省電力モードに切り替える省エネ制御部と、
を備え、
前記表示処理部は、前記省エネ制御部により省電力モードに切り替えられた場合に、表示制御装置への画像情報の提供を中止し、
前記表示制御装置は、
前記省エネ制御装置から提供された画面情報を記憶媒体に記録する記録部と、
前記省エネ制御装置が省電力モードに切り替えられて前記省エネ制御装置からの信号が切断された場合に、前記記憶媒体に記録された前記画面情報を前記表示装置に表示させる表示装置制御部と、
を備えることを特徴とする、表示制御システム。
【発明の詳細な説明】
【技術分野】
【０００１】
本発明は、表示制御装置、表示制御方法および表示制御システムに関し、特に、省電力モードに切り替える省エネ制御装置から提供された画面情報を表示装置に表示させる表示制御装置、表示制御方法および表示制御システムに関する。
【背景技術】
【０００２】
従来、ＰＣ（Ｐｅｒｓｏｎａｌ  Ｃｏｍｐｕｔｅｒ）等の情報処理装置において、環境保全のため、低電力モードやスリープモードなどの省電力モードが備えられている。これらの省電力モードでは、ユーザ操作が行われなくなってから所定時間経過後にスリープ等のモードに移行することとなっている。頻繁なスリープモードへの遷移はユーザの利便性を低下するが、一方で、スリープモード等へ遷移するまでの待機時間は電力を無駄に消費してしまうという問題があった。
【０００３】
そこで、省電力モードの移行が頻繁に起きてもユーザの利便性を低下させることがない技術が開示されている（例えば、特許文献１）。特許文献１では、省電力モードに移行する直前に表示手段に表示していた画面のデータを保存し、省電力モードに移行している時間が所定時間より短い場合に保存した画面データを表示させている。これにより、省電力モードの変更が頻繁に起きても、ユーザの利便性の低下を防止することが可能となる。
【先行技術文献】
【特許文献】
【０００４】
【特許文献１】特開２００７−８６２３０号公報
【発明の概要】
【発明が解決しようとする課題】
【０００５】
しかし、特許文献１では、省電力モードに移行している時間が所定時間より短い場合にしか、同一ユーザによる連続性のある使用と判定して保存した画面データを表示させることができない。すなわち、特許文献１では、画面データの閲覧のみが目的である場合などであっても、省電力モードに移行している時間が所定時間よりも長くなれば省電力モードから復帰されてしまうため、省電力効果が得られ難いという問題があった。
そこで、本発明は、上記問題に鑑みてなされたものであり、本発明の目的とするところは、省電力モード時に省電力効果を損なうことなく画面データを閲覧することが可能な、新規かつ改良された表示制御装置、表示制御方法および表示制御システムを提供することにある。
【課題を解決するための手段】
【０００６】
上記課題を解決するために、本発明のある観点によれば、ユーザの入力操作に応じて省電力モードに切り替える省エネ制御装置から提供された画面情報を、表示装置に表示させる表示制御装置であって、省エネ制御装置から提供された画面情報を記憶媒体に記録する記録部と、省エネ制御装置が省電力モードに切り替えられて省エネ制御装置からの信号が切断された場合に、記憶媒体に記録された画面情報を表示装置に表示させる表示装置制御部と、を備えることを特徴とする、表示制御装置が提供される。
【０００７】
かかる構成によれば、表示制御装置は、省エネ制御装置から提供された画面情報を記憶媒体に記録し、省エネ制御装置が省電力モードに切り替えられて省エネ制御装置からの信号が切断された場合に、記憶媒体に記録された画面情報を表示装置に表示させる。これにより、画面データの閲覧のみが目的である場合に、省エネ表示制御装置における省電力モードを維持したまま、閲覧のための画面データを表示装置に表示させることが可能となる。
【０００８】
また、表示装置制御部は、省エネ制御装置からの信号が切断された後に、省エネ制御装置からの信号が切断される直前に記憶媒体に記録された画面情報を表示装置に表示させてもよい。
【０００９】
また、表示装置制御部は、省エネ制御装置からの信号が切断された場合に表示装置の電源をオフし、ユーザ操作に応じて表示装置の電源をオンするようにしてもよい。
【００１０】
また、記録部は、画面情報を一時的に保存し、省エネ制御装置から提供された画面情報と一時的に保存した画面情報とを比較し、所定の閾値以上の面積で変化がない場合に、一時的に保存した画面情報を記憶媒体に記録し、所定の閾値以上の面積の変化がある場合に、一時的に保存した画面情報を前記記憶媒体に記録しないようにしてもよい。
【００１１】
また、表示装置制御部は、省エネ制御装置からの信号が切断されて表示装置の電源をオフした後に、ユーザ操作により表示装置の電源がオンされた場合に、記憶媒体に記録されている画面情報を表示装置に表示させてもよい。
【００１２】
また、省エネ制御装置は、ユーザの入力操作が所定時間検出されなかった場合に省電力モードに切り替えてもよい。
【００１３】
また、表示装置制御部は、省エネ制御装置がユーザ操作に応じて省電力モードから通常モードに復帰した場合に、省エネ制御装置から提供された画面情報を表示装置に表示させてもよい。
【００１４】
また、上記表示制御装置は、省エネ制御装置から文書データを受信する文書データ入力部と、文書データ入力部により受信された文書データを表示装置に表示させるための文書画像を生成する画像処理部と、を備え、記録部は、文書データ入力部により受信された文書データを記憶媒体に記録し、画像処理部は、記憶媒体に記録された文書データから文書画像を生成し、表示装置制御部は、省エネ制御装置からの信号が切断された場合に、画像処理部により生成された文書画像を表示装置に表示させてもよい。
【００１５】
また、表示装置制御部は、省エネ制御装置からの信号が切断される直前に記憶媒体に記録された文書データを特定し、画像処理部に特定した文書データから文書画像を生成させてもよい。
【００１６】
また、ユーザ操作に応じて、表示装置に表示された文書画像の閲覧箇所の指定入力をする入力部を備え、表示装置制御部は、入力部により入力された文書画像の閲覧箇所の指定入力に応じて、文書画像の閲覧箇所の文書データを特定し、画像処理部に特定した文書データから文書画像を生成させてもよい。
【００１７】
また、上記課題を解決するために、本発明の別の観点によれば、ユーザの入力操作に応じて省電力モードに切り替える省エネ制御装置から提供された画面情報を、表示装置に表示させる表示制御装置において、省エネ制御装置から提供された画面情報を記憶媒体に記録するステップと、省エネ制御装置が省電力モードに切り替えられて省エネ制御装置からの信号が切断された場合に、記憶媒体に記録された画面情報を表示装置に表示させるステップと、を含むことを特徴とする、表示制御方法が提供される。
【００１８】
また、上記課題を解決するために、本発明の別の観点によれば、ユーザの入力操作に応じて省電力モードに切り替える省エネ制御装置から提供された画面情報を、表示装置に表示させる表示制御装置において、省エネ制御装置は、表示制御装置への画像情報を提供する表示処理部と、ユーザの入力操作が所定時間検出されなかった場合に省電力モードに切り替える省エネ制御部と、を備え、表示処理部は、省エネ制御部により省電力モードに切り替えられた場合に、表示制御装置への画像情報の提供を中止し、表示制御装置は、省エネ制御装置から提供された画面情報を記憶媒体に記録する記録部と、省エネ制御装置が省電力モードに切り替えられて省エネ制御装置からの信号が切断された場合に、記憶媒体に記録された画面情報を表示装置に表示させる表示装置制御部と、を備えることを特徴とする、表示制御システムが提供される。
【発明の効果】
【００１９】
以上説明したように本発明によれば、省電力モード時に省電力効果を損なうことなく画面データを閲覧することができる。
【図面の簡単な説明】
【００２０】
【図１】本発明の第１の実施形態にかかる表示制御システムの構成を示すブロック図である。
【図２】同実施形態にかかる省エネ制御装置の処理の詳細を示すフローチャートである。
【図３】同実施形態にかかる表示制御装置の処理の詳細を示すフローチャートである。
【図４】同実施形態にかかるモニタ電源をオフする場合の表示制御装置の処理の詳細を示すフローチャートである。
【図５】本発明の第２の実施形態にかかる表示制御システムの構成を示すブロック図である。
【図６】同実施形態にかかる省エネ制御装置の処理の詳細を示すフローチャートである。
【図７】同実施形態にかかる表示制御装置の処理の詳細を示すフローチャートである。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
また、以下に示す順序に従って、当該「発明を実施するための形態」を説明する。
〔１〕本実施形態の目的
〔２〕第１実施形態
〔２−１〕省エネ制御装置および表示制御装置の機能構成
〔２−２〕省エネ制御装置および表示制御装置の処理の詳細
〔３〕第２実施形態
〔３−１〕省エネ制御装置および表示制御装置の機能構成
〔３−２〕省エネ制御装置および表示制御装置の処理の詳細
【００２３】
〔１〕本実施形態の目的
まず、本発明の実施形態の目的について説明する。従来、ＰＣ（Ｐｅｒｓｏｎａｌ  Ｃｏｍｐｕｔｅｒ）等の情報処理装置において、環境保全のため、低電力モードやスリープモードなどの省電力モードが備えられている。これらの省電力モードでは、ユーザ操作が行われなくなってから所定時間経過後にスリープ等のモードに移行することとなっている。頻繁なスリープモードへの遷移はユーザの利便性を低下するが、一方で、スリープモード等へ遷移するまでの待機時間は電力を無駄に消費してしまうという問題があった。
【００２４】
そこで、省電力モードの移行が頻繁に起きてもユーザの利便性を低下させることがない技術が開示されている。この技術では、省電力モードに移行する直前に表示手段に表示していた画面のデータを保存し、省電力モードに移行した時刻と復帰した時刻とから省電力モードに以降していた時間を計測する。そして、省電力モードに移行している時間が所定時間より短い場合には、同一ユーザによる連続性のある使用と判定して、保存した画面データを表示させている。これにより、省電力モードの変更が頻繁に起きても、ユーザの利便性の低下を防止することが可能となる。
【００２５】
しかし、上記技術では、省電力モードに移行している時間が所定時間より短い場合にしか、同一ユーザによる連続性のある使用と判定して保存した画面データを表示させることができない。すなわち、画面データの閲覧のみが目的である場合などであっても、省電力モードに移行している時間が所定時間よりも長くなれば省電力モードから復帰されてしまうため、省電力効果が得られ難いという問題があった。そこで、上記のような事情を一着眼点として、本発明の実施形態にかかる表示制御システムが創作されるに至った。本実施形態にかかる表示制御システムは、省電力モード時に省電力効果を損なうことなく画面データを閲覧することが可能となる。
【００２６】
〔２〕第１実施形態
以上、本発明の実施形態の目的について説明した。次に、図１を参照して、本実施形態にかかる表示制御システム１の構成について説明する。表示制御システム１は、表示制御装置１０および省エネ制御装置２０から構成される。表示制御装置１０としては、例えば、パーソナルコンピュータ等における表示装置を備えるコンピュータ装置を例示できる。省エネ制御装置２０としては、パーソナルコンピュータ等のコンピュータ装置を例示できる。例えば、デスクトップ型のパーソナルコンピュータにおいて、パーソナルコンピュータ本体を省エネ制御装置２０として、パーソナルコンピュータ本体とは別体のモニタを含む装置を表示制御装置１０として例示することができる。
【００２７】
〔２−１〕省エネ制御装置および表示制御装置の機能構成
図１の機能構成を説明する前に、表示制御装置１０のハードウェア構成の一例について説明する。表示制御装置１０は、例えば、ＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）と、入力装置と、出力装置と、ストレージ装置（ＨＤＤ（Ｈａｒｄ  Ｄｉｓｋ  Ｄｒｉｖｅ）、フラッシュメモリ、ＦＤＤ（Ｆｌｏｐｐｙ（登録商標）  Ｄｉｓｋ  Ｄｒｉｖｅ）などを備える。
【００２８】
ＣＰＵは、演算処理装置および制御装置として機能し、各種プログラムに従って表示制御装置１０の動作全般を制御する。また、ＣＰＵは、マイクロプロセッサであってもよい。ＲＯＭは、ＣＰＵが使用するプログラムや演算パラメータ等を記憶する。ＲＡＭは、ＣＰＵの実行において使用するプログラムや、その実行において適宜変化するパラメータ等を一次記憶する。これらはＣＰＵバスなどから構成されるホストバスにより相互に接続されている。
【００２９】
入力装置は、例えば、マウス、キーボード、タッチパネル、ボタン、マイク、スイッチおよびレバーなどユーザが情報を入力するための入力手段と、ユーザによる入力に基づいて入力信号を生成し、ＣＰＵに出力する入力制御回路などから構成されている。
【００３０】
出力装置は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｓｐｌａｙ）装置およびランプなどの表示装置と、スピーカおよびヘッドホンなどの音声出力装置で構成される。
【００３１】
ストレージ装置は、記憶媒体、記憶媒体にデータを記録する記録装置、記憶媒体からデータを読み出す読出し装置および記憶媒体に記録されたデータを削除する削除装置などを含むことができる。ストレージ装置は、例えば、ＨＤＤ等で構成される。このストレージ装置は、ハードディスクを駆動し、ＣＰＵが実行するプログラムや各種データを格納する。
【００３２】
以上、表示制御装置１０のハードウェア構成について説明した。なお、省エネ制御装置２０は、表示制御装置１０とほぼ同様のハードウェア構成を有するため、説明を省略する。図１に示したように、表示制御装置１０は、表示装置制御部１０２、表示装置１０６、記憶装置１０４などを備える。入力手段１５は、上記した入力装置により構成される。入力手段１５は、表示制御装置１０とは別体の装置としたが、表示制御装置１０と入力手段１５とを一体の装置として構成してもよい。
【００３３】
表示装置制御部１０２は、コンピュータにより構成され、その動作は、上記したＲＯＭに記憶されたプログラムをもとに、ＣＰＵで実行される。表示装置制御部１０２は、省エネ制御装置２０の表示処理部２１０からの信号が切断された場合に、後述する記憶装置１０４に記録された画面情報を表示装置１０６に表示させる機能を有する。
【００３４】
例えば、省エネ制御装置２０からの信号が切断された後には、省エネ制御装置２０からの信号が切断される直前に記憶装置１０４に記録された画面情報を表示装置１０６に表示させる。これにより、省エネモードに移行する直前にユーザが表示装置１０６において閲覧していた表示画面を、継続して表示装置１０６に表示させることが可能となる。
【００３５】
また、表示装置制御部１０２は、省エネ制御装置２０からの信号が切断された場合に、表示装置１０６の電源をオフするようにしてもよい。そして、入力手段１５を介してユーザ操作により表示装置１０６の電源オンボタンが押下された場合に、表示装置１０６の電源をオンする。このように、ユーザ操作に応じて表示装置１０６の電源をオンした場合には、表示装置制御部１０２は記憶装置１０４に記録されている画面情報を表示装置１０６に表示させる。これにより、画面データの閲覧のみが目的である場合に、省エネ表示制御装置１０における省電力モードを維持したまま、閲覧のための画面データを表示装置１０６に表示させることが可能となる。
【００３６】
省エネ制御装置２０が省電力モードから通常モードに復帰した場合には、省エネ制御装置２０から画面情報が提供される。この場合、表示装置制御部１０２は、通常通り、省エネ制御装置２０から提供された画面情報を表示装置１０６に表示させる。
【００３７】
記憶装置１０４は、上記したストレージ装置（ＨＤＤ等）により構成され、省エネ制御装置２０から提供された画面情報を記憶している。上記した表示装置制御部１０２は、記憶装置１０４に画面情報を記録する記録部としての機能も有する。記憶装置１０４には、省エネ制御装置２０が省電力モードに移行する直前に省エネ制御装置２０から提供された画面情報が記録されるようにしてもよい。すなわち、表示装置制御部１０２により、省エネ制御装置２０からの信号が切断されたと判断される直前に表示装置１０６に表示される画面情報を記録する。また、定期的に省エネ制御装置２０から提供された画面情報を記録するようにしてもよい。
【００３８】
表示装置１０６は、上記した出力装置により構成され、表示装置制御部１０２から提供される画面情報をモニタに表示する機能を有する。また、表示装置制御部１０２の制御のもと、モニタの電源のオン／オフを行う。以上、表示制御装置１０の機能構成について説明した。
【００３９】
次に、省エネ制御装置２０の機能構成について説明する。図１に示したように、省エネ制御装置２０は、入力検出部２０２、離席時間計測部２０４、離席判定部２０６、省エネ制御部２０８、表示処理部２１０などを備える。入力手段２５は、省エネ制御装置２０とは別体の装置としたが、省エネ制御装置２０と入力手段２５とを一体の装置として構成してもよい。
【００４０】
入力検出部２０２は、入力手段２５を介してユーザからの入力の有無を検出する機能を有する。例えば、入力手段２５が省エネ制御装置２０に接続されているキーボードであった場合には、ユーザによりキーボード入力がなされているか否かを検出する。また、入力手段２５が省エネ制御装置２０に接続されているマウスであった場合には、ユーザによりマウス操作がなされているか否かを検出する。入力検出部２０２は、検出結果を離席時間計測部２０４および省エネ制御部２０８に提供する。
【００４１】
離席時間計測部２０４は、入力検出部２０２により提供された検出結果を元に、ユーザが離席していた時間を計測する機能を有する。ユーザが離席していた時間とは、ユーザがＰＣのマウスやキーボードを操作していない時間を意味する。すなわち、入力検出部２０２により入力が検出されていない時間を計測することにより、離席していた時間を計測することができる。離席時間計測部２０４は、計測した時間を離席判定部２０６に提供する。
【００４２】
離席判定部２０６は、離席時間計測部２０４により提供された時間を元に、ユーザが離席していたか否かを判定する。例えば、離席時間計測部２０４により提供された時間が所定時間より短い場合にはユーザが離席していないと判定し、離席時間計測部２０４により提供された時間が所定時間より長い場合にはユーザが離席していると判定する。離席判定部２０６が、ユーザが離席していると判定する所定時間は、数分程度であってもよい。当該所定時間は、ユーザ入力により設定するようにしてもよいし、予め設定してもよい。離席判定部２０６は、判定結果を省エネ制御部２０８に提供する。
【００４３】
省エネ制御部２０８は離席判定部２０６により提供された判定結果に基づいて省電力モードに移行する機能を有する。離席判定部２０６により、ユーザが離席しているという判定結果が提供された場合には、時間経過に伴い、モニタオフやHDDオフ、入力検出部２０２によるユーザ操作の監視以外の各部の処理を休止させるスタンバイなどの省電力モードに移行する。また、省電力モードに移行した後に、入力検出部２０２によりユーザの入力が検出された場合には、省電力モードから通常モードに移行する。具体的には、表示処理部２１０から表示制御装置１０への信号の送信を実行させる。
【００４４】
表示処理部２１０は、省エネ制御部２０８の制御の下、画像処理を行い、表示制御装置１０に画像データを送信して表示命令を行う機能を有する。表示処理部２１０は、例えば、画像処理を行い、画像処理した信号を送信するグラフィックボードなどを例示できる。上記したように、省エネ制御部２０８により省電力モードに移行した後は、表示処理部２１０の処理も休止されるため、表示処理部２１０による画像処理および画像データの送信処理が休止され、表示制御装置１０への信号が切断される。
【００４５】
なお、上記入力検出部２０２、離席時間計測部２０４、離席判定部２０６、省エネ制御部２０８、表示処理部２１０は、コンピュータにより構成され、その動作は、上記したＲＯＭに記憶されたプログラムをもとに、ＣＰＵで実行される。以上、省エネ制御装置２０の機能構成について説明した。
【００４６】
〔２−２〕省エネ制御装置および表示制御装置の処理の詳細
次に、表示制御装置１０および省エネ制御装置２０の処理の詳細について説明する。まず、図２を参照して、省エネ制御装置２０の処理の詳細について説明する。図２は、省エネ制御装置２０の処理の詳細を示すフローチャートである。図２に示したように、入力検出部２０２は、ユーザによる入力の有無を検出する（Ｓ１０２）。
【００４７】
ステップＳ１０２において、ユーザによる入力が無いと判定された場合には、離席判定部２０６が離席判定を行う（Ｓ１０４）。ステップＳ１０２において、ユーザによる入力が有ると判定された場合には、ステップＳ１１４の処理を実行する。
【００４８】
ステップＳ１０４において、離席判定部２０６は、離席時間計測部２０４から提供された離席時間が所定の省電力モード移行時間より長いか否かを判定する。ステップＳ１０４において、離席時間が省電力モード移行時間より長いと判定された場合には、省電力モードに移行する（Ｓ１０６）。
【００４９】
ステップＳ１０４において、離席時間が省電力モード移行時間より短いと判定された場合には、省電力モードに移行せずにステップＳ１１４の処理を実行する。例えば、省電力モード移行時間が２分に設定されている場合に、離席時間が１分の場合には省電力モードには移行しない。一方、離席時間が２分を超えている場合には、省電力モードに移行する。
【００５０】
そして、ステップＳ１０６において省電力モードに移行した後に、表示処理部２１０の処理を停止する（Ｓ１０８）。ステップＳ１０６において省電力モードに移行した後は、ユーザ操作の監視以外の各部の処理を休止させる。したがって、ステップＳ１０８においては、表示処理部２１０の処理を停止するとともに、入力検出部２０２以外の各部の処理を停止する。
【００５１】
そして、入力検出部２０２は、ユーザによる入力の有無を検出する（Ｓ１１０）。ステップＳ１０６において省電力モードに移行した後に、ステップＳ１１０においてユーザにより入力が有ると判定された場合には、省電力モードから復帰する（Ｓ１１２）。ステップＳ１１２において、省電力モードから復帰した場合には、省エネ制御部２０８の制御の下、省エネ制御装置２０の各部が通常処理を実行する。ステップＳ１１０において、ユーザによる入力が無いと判定された場合には、再度ユーザにより入力が検出されるまでステップＳ１１０の処理を繰り返す。
【００５２】
ステップＳ１１２において、省電力モードから復帰した場合には、表示制御装置１０へ画像データ等の信号を送信する（Ｓ１１４）。ステップＳ１１４は、省エネ制御装置２０が省電力モードに移行する前および、省電力モードから復帰した場合に実行される通常の処理である。ステップＳ１１４の処理を実行した後、ステップＳ１０２の処理に戻り、入力検出を行う（Ｓ１０２）。以上、省エネ制御装置２０の処理の詳細について説明した。
【００５３】
次に、図３を参照して、表示制御装置１０の処理の詳細について説明する。図３は、表示制御装置１０の処理の詳細を示すフローチャートである。図３に示したように、まず、表示装置制御部１０２は、省エネ制御装置２０の表示処理部２１０からの信号を受信する（Ｓ２０２）。そして、表示装置制御部１０２は、ステップＳ２０２において受信した画像データ等の信号を表示装置１０６に表示する（Ｓ２０４）。ステップＳ２０４における表示装置１０６への表示は通常表示である。
【００５４】
そして、ステップＳ２０２において受信した画面情報を記憶装置１０４に保存する（Ｓ２０６）。表示装置制御部１０２は、省エネ制御装置２０の表示処理部２１０からの信号の有無を判定する（Ｓ２０８）。ステップＳ２０８において、表示処理部２１０からの信号が有ると判定された場合には、ステップＳ２０２〜ステップＳ２０６の処理を実行する。
【００５５】
一方、ステップＳ２０８において、表示処理部２１０からの信号が無いと判定された場合には、ステップＳ２０６において保存した画面情報を表示装置１０６に表示する（Ｓ２１０）。ステップＳ２０８において、表示処理部２１０からの信号が無い場合とは、省エネ制御装置２０が省電力モードに移行したことを意味する。すなわち、省エネ制御装置２０は入力検出部２０２以外の各処理の実行を停止している状態である。本実施形態では、表示装置１０６に記憶装置１０４に記憶されている画面情報を表示させることにより、省エネ制御装置２０は省電力モードに移行した状態で、表示装置１０６における画面の閲覧のみ可能となる。
【００５６】
そして、表示装置制御部１０２は、省エネ制御装置２０の表示処理部２１０からの信号の有無を判定する（Ｓ２１２）。ステップＳ２１２において、表示処理部２１０からの信号が無いと判定された場合には、表示装置１０６に引き続き画面情報を表示させて、再度表示処理部２１０からの信号が有るまでステップＳ２１２の処理を繰り返す。
【００５７】
また、ステップＳ２１２において、表示処理部２１０からの信号が有ると判定された場合には、表示処理部２１０から信号を受信して（Ｓ２０２）、画像データを表示装置１０６に表示させる（Ｓ２０４）。ステップＳ２１２において、表示処理部２１０からの信号が有った場合とは、省エネ制御装置２０が省電力モードから復帰して、表示処理部２１０が通常の処理を実行することを意味する。以上、表示制御装置１０の処理の詳細について説明した。
【００５８】
なお、上記ステップＳ２０６の画面情報保存処理において、ユーザが閲覧している画面ではなく、スクリーンセーバ画面や操作中の画面を保存してしまうことが考えられる。画面情報保存処理においてスクリーンセーバ画面や操作中の画面を保存してしまうことを避けるために、画面情報を毎回記憶装置１０４に保存して更新するのではなく、一定時間以内に画面情報の変化が少ない場合のみ記憶装置１０４に保存して更新する方法を用いることができる。
【００５９】
例えば、画面情報保存処理において、画面情報を一時的に保存（バッファリング）し、当該画面情報と前回（又は一定時間以内に）一時保存した画面情報とを比較する。そして、前回（又は一定時間以内）から閾値以上の面積で変化がない場合のみ、最後に一時的に保存（バッファリング）した画面情報を記憶装置１０４に保存する。
【００６０】
一方、前回（又は一定時間以内）から閾値以上の面積で変化がある場合には、スクリーンセーバであると判断して、画面情報の保存を行わない。これにより、キーボードやマウス入力が無い場合であれば、画面の変化はほとんど無いため、閲覧中の画面情報が保存される。また、画面変化の大きいスクリーンセーバは保存されないため、スクリーンセーバの画面情報が誤って保存されることなく、省電力モードに移行することが可能となる。
【００６１】
また、キーボードやマウス操作がなされている間は、画面が変化して画面情報が保存されないこととなる。この場合には、省電力モードに移行することは無いため、画面情報を保存する必要はない。
【００６２】
次に、図４を参照して、本実施形態において、表示装置１０６のモニタ電源をオフする場合の表示制御装置１０の処理の詳細について説明する。図４は、モニタ電源をオフする場合の表示制御装置１０の処理の詳細を示すフローチャートである。図４に示したように、まず、表示装置制御部１０２は、省エネ制御装置２０の表示処理部２１０からの信号を受信する（Ｓ２５２）。そして、表示装置制御部１０２は、ステップＳ２５２において受信した画像データ等の信号を表示装置１０６に表示する（Ｓ２５４）。ステップＳ２５４における表示装置１０６への表示は通常表示である。
【００６３】
そして、ステップＳ２５２において受信した画面情報を記憶装置１０４に保存する（Ｓ２５６）。表示装置制御部１０２は、省エネ制御装置２０の表示処理部２１０からの信号の有無を判定する（Ｓ２５８）。ステップＳ２５８において、表示処理部２１０からの信号が有ると判定された場合には、ステップＳ２５２〜ステップＳ２５６の処理を実行する。
【００６４】
一方、ステップＳ２５８において、表示処理部２１０からの信号が無いと判定された場合には、表示装置制御部１０２は、表示装置１０６のモニタ電源をオフする（Ｓ２６０）。ステップＳ２６０において、モニタ電源をオフすることにより、通常の低電力モードやスリープモードと同様の状態となる。
【００６５】
次に、表示装置制御部１０２は、入力手段１５を介してモニタ電源など表示装置１０６の電源ボタンが押下されたか否かを判定する（Ｓ２６２）。ステップＳ２６２において、電源ボタンが押下されたと判定された場合には、ステップＳ２５６において保存した画面情報を表示する（Ｓ２６４）。一方、ステップＳ２６２において、電源ボタンが押下されていない場合には、ステップＳ２６４の処理を実行せず、保存した画面情報の表示は行わない。
【００６６】
そして、表示装置制御部１０２は、省エネ制御装置２０の表示処理部２１０からの信号の有無を判定する（Ｓ２６６）。ステップＳ２６６において、表示処理部２１０からの信号が無いと判定された場合には、ステップＳ２６２の処理に戻り、再度、電源ボタンが押下されたか否かの判断を行う（Ｓ２６２）。
【００６７】
また、ステップＳ２６６において、表示処理部２１０からの信号が有ると判定された場合には、表示処理部２１０から信号を受信して（Ｓ２５２）、画像データを表示装置１０６に表示させる（Ｓ２５４）。ステップＳ２６６において、表示処理部２１０からの信号が有った場合とは、省エネ制御装置２０が省電力モードから復帰して、表示処理部２１０が通常の処理を実行することを意味する。以上、モニタ電源をオフする場合の表示制御装置１０の処理の詳細について説明した。
【００６８】
上記実施形態によれば、表示制御装置１０は、省エネ制御装置２０から提供された画面情報を記憶装置１０４に記録し、省エネ制御装置２０が省電力モードに切り替えられて省エネ制御装置からの信号が切断された場合に、記憶装置１０４に記録された画面情報を表示装置１０６に表示させる。表示装置１０６には、省エネ制御装置２０が省電力モードに切り替えられる前に記憶装置１０４に記憶された画面情報を表示装置１０６に表示する。また、省エネ制御装置２０からの信号が切断された場合に、表示装置１０６の電源をオフして、ユーザ操作により表示装置１０６の電源がオンされた場合に、記憶装置１０４に記憶されている画面情報を表示装置１０６に表示させる。
【００６９】
これにより、省エネモードに移行する直前にユーザが表示装置１０６において閲覧していた表示画面を、継続して表示装置１０６に表示させることが可能となる。したがって、画面データの閲覧のみが目的である場合に、省エネ表示制御装置１０における省電力モードを維持したまま、閲覧のための画面データを表示装置１０６に表示させることが可能となる。
【００７０】
〔３〕第２実施形態
つぎに、第２実施形態について説明する。第１実施形態における表示制御システム１では、画面データを表示させるのみで、省電力モード移行時に画面内に表示されていない部分をスクロール表示させたり、複数ページからなる文書データを表示させたりすることは困難であった。そこで、本実施形態にかかる表示制御システム１′では、複数ページからなる文書ファイルについて、省電力モード移行時に画面内に表示されていない部分を表示させたり、ページをスクロールしたりすることを可能とした。以下では、第１実施形態と異なる点について主に説明し、第１実施形態と同様の機能や処理については説明を省略する。
【００７１】
〔３−１〕省エネ制御装置および表示制御装置の機能構成
図５は、本実施形態にかかる表示制御システム１′の構成を示すブロック図である。図５に示した表示制御装置１０′および省エネ制御装置２０′は、第１実施形態の表示制御装置１０および省エネ制御装置２０と同様のハードウェア構成を備えるため、ハードウェア構成についての説明は省略する。
【００７２】
図５に示したように、表示制御装置１０′は、表示装置制御部１０２、表示装置１０６、記憶装置１０４、画像処理部１０８、文書データ入力部１１０などを備える。入力手段１５は、上記した入力装置により構成される。入力手段１５は、表示制御装置１０′とは別体の装置としたが、表示制御装置１０′と入力手段１５とを一体の装置として構成してもよい。
【００７３】
表示装置制御部１０２は、コンピュータにより構成され、その動作は、上記したＲＯＭに記憶されたプログラムをもとに、ＣＰＵで実行される。表示装置制御部１０２は、省エネ制御装置２０′の表示処理部２１０からの信号が切断された場合に、後述する画像処理部１０８から提供される画像データを表示装置１０６に表示させる機能を有する。画像処理部１０８から提供される画像データは、例えば、複数ページからなる文書ファイル等の画像データである。
【００７４】
例えば、省エネ制御装置２０′からの信号が切断された後には、省エネ制御装置２０′からの信号が切断される前に省エネ制御装置２０′から送信された文書データを表示装置１０６に表示させる。これにより、省エネモードに移行する前にユーザが閲覧していた文書ファイルのすべてを表示装置１０６に表示させることが可能となる。
【００７５】
また、表示装置制御部１０２は、入力手段１５を介して入力されたユーザ操作に応じて、表示装置１０６に表示している文書データのスクロールを行う。これにより、省エネ制御装置２０′は省電力モードを維持したまま、表示制御装置１０′においてユーザが閲覧していた文書ファイルのすべてを閲覧することが可能となる。
【００７６】
また表示装置制御部１０２は、省エネ制御装置２０′の入力検出部２０２に対して、省電力モードから通常モードに移行するためのユーザ操作（復帰操作）があったか否かを通知する。例えば、ユーザ操作により、表示画面に表示されている文書ファイルの閲覧が中止された場合には、復帰操作があったと判断するようにしてもよい。また、表示装置１０６に表示されている表示画面のメニュー画面から明示的に復帰操作をさせるようにしてもよい。また、ユーザ操作により、表示装置１０６に表示されている文書ファイルの最後までスクロールが行われた場合には、復帰操作があったと判断するようにしてもよい。また、特定のキー操作を復帰操作とするようにしてもよい。
【００７７】
省エネ制御装置２０が省電力モードから通常モードに復帰した場合には、省エネ制御装置２０から画面情報が提供される。この場合、表示装置制御部１０２は、通常通り、省エネ制御装置２０から提供された画面情報を表示装置１０６に表示させる。
【００７８】
記憶装置１０４は、上記したストレージ装置（ＨＤＤ等）により構成され、文書データ入力部１１０から提供された文書データを記憶している。記憶装置１０４には、省エネ制御装置２０が省電力モードに移行する前に文書データ入力部１１０から提供された文書データが記録される。
【００７９】
表示装置１０６は、上記した出力装置により構成され、表示装置制御部１０２から提供される文書データの画面情報をモニタに表示する機能を有する。また、表示装置制御部１０２の制御のもと、モニタの電源のオン／オフを行ったり、表示画面のスクロールを行ったりする。
【００８０】
画像処理部１０８は、記憶装置１０４に記憶されている文書データの画像処理を行い、表示装置制御部１０２に画像データ（文書画像）を提供する機能を有する。画像処理部１０８は、例えば、画像処理を行い、画像処理した信号を送信するグラフィックボードなどを例示できる。
【００８１】
文書データ入力部１１０は、省エネ制御装置２０′の文書データ出力部２１２から文書データを受信する機能を有する。文書データ入力部１１０は、文書データ出力部２１２から受信した文書データを記憶装置１０４に記録する機能も有するようにしてもよい。以上、表示制御装置１０′の機能構成について説明した。
【００８２】
次に、省エネ制御装置２０′の機能構成について説明する。図５に示したように、省エネ制御装置２０′は、入力検出部２０２、離席時間計測部２０４、離席判定部２０６、省エネ制御部２０８、表示処理部２１０、文書データ出力部２１２などを備える。省エネ制御装置２０′は、第１実施形態とは、文書データ出力部２１２を備える点で異なっている。
【００８３】
以下では、文書データ出力部２１２について主に説明し、第１実施形態と同様の機能構成については詳細な説明を省略する。文書データ出力部２１２は、省エネ制御部２０８の制御のもと、文書データを表示制御装置１０′に送信する機能を有する。省エネ制御部２０８は、省電力モードに移行した場合には、入力検出部２０２によるユーザ操作の監視以外の各部の処理を休止するスタンバイなどの状態となる。
【００８４】
本実施形態では、省エネ制御部２０８は、省電力モードに移行する前に、ユーザが閲覧している文書ファイルのデータを表示制御装置１０′に送信するよう文書データ出力部２１２に指示する。文書データ出力部２１２により文書データが表示制御装置１０′に送信された後に、省エネ制御部２０８は、入力検出部２０２によるユーザ操作の監視以外の各部の処理を休止するスタンバイなどの状態となる。
【００８５】
また、本実施形態では、入力手段は表示制御装置１０′に備えられているため、入力検出部２０２は、表示装置制御部１０２からの信号に基づいてユーザの入力検出を行う。表示装置制御部１０２からは、上記したように、ユーザによる復帰操作がなされたか否かが通知される。入力検出部２０２は、表示装置制御部１０２からユーザによる復帰操作がなされたことを通知された場合に、省エネ制御部２０８に復帰操作の検出結果を通知する。以上、省エネ制御装置２０′の機能構成について説明した。
【００８６】
〔３−２〕省エネ制御装置および表示制御装置の処理の詳細
次に、表示制御装置１０′および省エネ制御装置２０′の処理の詳細について説明する。まず、図６を参照して、省エネ制御装置２０′の処理の詳細について説明する。図６は、省エネ制御装置２０′の処理の詳細を示すフローチャートである。図６に示したように、入力検出部２０２は、表示制御装置１０′からの入力信号を受信する（Ｓ３０２）。
【００８７】
そして、入力検出部２０２は、ステップＳ３０２において受信した入力信号に基づいて、ユーザによる入力の有無を検出する（Ｓ３０４）。ステップＳ３０４において、ユーザによる入力が無いと判定された場合には、文書データ出力部２１２は文書データを表示制御装置１０′に送信する（Ｓ３０６）。一方、ステップＳ３０４において、ユーザによる入力が有ると判定された場合には、ステップＳ３２８の処理を実行する。
【００８８】
そして、離席判定部２０６は、離席時間計測部２０４から提供された離席時間が所定の省電力モード移行時間より長いか否かを判定する（Ｓ３０８）。ステップＳ３０８において、離席時間が省電力モード移行時間より長いと判定された場合には、省電力モードに移行する（Ｓ３１０）。ステップＳ３０８において、離席時間が省電力モード移行時間より短いと判定された場合には、省電力モードに移行せずにステップＳ３２８の処理を実行する。
【００８９】
そして、ステップＳ３１０において省電力モードに移行した後に、表示処理部２１０の処理を停止する（Ｓ３１２）。ステップＳ３１０において省電力モードに移行した後は、ユーザ操作の監視以外の各部の処理を休止させる。したがって、ステップＳ３１２においては、表示処理部２１０の処理を停止するとともに、入力検出部２０２以外の各部の処理を停止する。
【００９０】
その後、入力検出部２０２は、表示制御装置１０′からの入力信号を受信する（Ｓ３２２）。入力検出部２０２は、ステップＳ３２２において受信した入力信号に基づいて、ユーザによる入力の有無を検出する（Ｓ３２４）。ステップＳ３２４において、ユーザにより入力が有ると判定された場合には、省電力モードから復帰する（Ｓ３２６）。
【００９１】
ステップＳ３２６において、省電力モードから復帰する場合とは、上記したように、例えば、ユーザ操作により、表示画面に表示されている文書ファイルの閲覧が中止された場合に、復帰操作があったと判断する。また、表示装置１０６に表示されている表示画面のメニュー画面から明示的に復帰操作をさせるようにしてもよい。また、ユーザ操作により、表示装置１０６に表示されている文書ファイルの最後までスクロールが行われた場合には、復帰操作があったと判断するようにしてもよい。また、特定のキー操作を復帰操作とするようにしてもよい。
【００９２】
ステップＳ３２６において、省電力モードから復帰した場合には、省エネ制御部２０８の制御の下、省エネ制御装置２０′の各部が通常処理を実行する。ステップＳ３２４において、ユーザによる入力が無いと判定された場合には、再度ユーザにより入力が検出されるまでステップＳ３２４の処理を繰り返す。
【００９３】
ステップＳ３２６において、省電力モードから復帰した場合には、表示制御装置１０′へ画像データ等の信号を送信する（Ｓ３２８）。ステップＳ３２８は、省エネ制御装置お２０′が省電力モードに移行する前および、省電力モードから復帰した場合に実行される通常の処理である。ステップＳ３２８の処理を実行した後、ステップＳ３０４の処理に戻り、入力検出を行う（Ｓ３０４）。以上、省エネ制御装置２０′の処理の詳細について説明した。
【００９４】
次に、図７を参照して、表示制御装置１０′の処理の詳細について説明する。図７は、表示制御装置１０′の処理の詳細を示すフローチャートである。図７に示したように、まず。表示装置制御部１０２は、入力手段１５を介して、ユーザ操作による入力があったか否かを判定する（Ｓ４０２）。
【００９５】
ステップＳ４０２において、ユーザによる入力が無いと判定された場合には、文書データ入力部１１０は、省エネ制御装置２０′の文書データ出力部２１２から文書データを受信する（Ｓ４０４）。一方、ステップＳ４０２において、ユーザによる入力が有ると判定された場合には、ステップＳ４１６以降の処理を実行する。そして、ステップＳ４０４において受信した文書データを記憶装置１０４に保存する（Ｓ４０６）。さらに、ステップＳ４０６において記憶装置１０４において保存した文書データを表示装置１０６に表示する（Ｓ４０８）。ステップＳ４０８においては、ユーザが閲覧していた文書ファイルの該当ページを表示させてもよいし、文書ファイルの先頭ページを表示させるようにしてもよい。
【００９６】
そして、表示装置制御部１０２は、入力手段１５を介して、ユーザによる閲覧操作の有無を判定する（Ｓ４１０）。ステップＳ４１０において、ユーザによる閲覧操作が有ると判定された場合には、入力された閲覧操作に応じて指定された画面情報を表示装置１０６に表示する（Ｓ４１２）。ステップＳ４１０において、ユーザによる閲覧操作が無いと判定された場合には、ステップＳ４１４の処理を実行する。
【００９７】
次に、表示装置制御部１０２は、復帰操作の有無を判定する（Ｓ４１４）。復帰操作とは、上記したように、ユーザにより、復帰操作のための特定のキーが押下されたことをいう。ステップＳ４１４において、復帰操作が有ったと判定された場合には、ステップＳ４１６以降の処理を実行する。また、ステップＳ４１４において、復帰操作が無かったと判定された場合には、ステップＳ４１０〜ステップＳ４１４の処理を実行する。
【００９８】
ステップＳ４１４において、復帰操作が有ったと判定された場合には、表示装置制御部１０２は、省エネ制御装置２０′へ復帰操作が有ったことを意味する入力信号を送信する（Ｓ４１６）。そして、省エネ制御装置２０′の表示処理部２１０からの信号を受信して（Ｓ４１８）、画像データを表示装置１０６に表示させる（Ｓ４２０）。ステップＳ４２０における表示装置１０６への表示は通常表示である。ステップＳ４２０の処理を実行した後、ステップＳ４０２の処理に戻り、入力検出を行う（Ｓ４０２）。以上、表示制御装置１０′の処理の詳細について説明した。
【００９９】
上記実施形態によれば、表示制御装置１０′は、省エネ制御装置２０′が省電力モードに移行する前に文書データを受信して、受信した文書データを記憶装置１０４に記録する。そして、省エネ制御装置２０′が省電力モードに移行して、省エネ制御装置２０′からの信号が切断された場合に、記憶装置１０４に記憶されている文書データから文書画像を生成して表示装置１０６に表示させる。
【０１００】
これにより、保存した画面情報を閲覧するだけでなく、複数ページからなる文書ファイルについて、省電力モード移行時に画面内に表示されていない部分を表示させたり、ページをスクロールしたりすることが可能となる。
【０１０１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１０２】
１０      表示制御装置
１０２    表示装置制御部
１０４    記憶装置
１０６    表示装置
１０８    画像処理部
１１０    文書データ入力部
２０      省エネ制御装置
２０２    入力検出部
２０４    離席時間計測部
２０６    離席判定部
２０８    省エネ制御部
２１０    表示処理部
２１２    文書データ出力部
【図１】
2010231324.tif 000003
【図２】
2010231324.tif 000004
【図３】
2010231324.tif 000005
【図４】
2010231324.tif 000006
【図５】
2010231324.tif 000007
【図６】
2010231324.tif 000008
【図７】
2010231324.tif 000009